(57)【要約】 【課題】ＹＩＧフィルタの中心周波数と対象の周波数とのアライメントをとるのに適しており、ＹＩＧフィルタにＣＷ信号を加えることに依存しない、ＹＩＧフィルタ同調システムを提供すること。【解決手段】  ＹＩＧフィルタ同調システムであって、関連するフィルタ帯域幅を有するフィルタ通過帯域のＹＩＧフィルタ１２と、前記ＹＩＧフィルタ１２の入力に選択的に結合されるノイズ源１４と、前記フィルタ帯域幅より狭い関連する測定帯域幅を有する測定通過帯域で、前記ＹＩＧフィルタ１２の出力に結合されたレシーバ１６と、を備え、前記ノイズ源１４が前記ＹＩＧフィルタ１２の前記入力に結合されると、前記レシーバ１６が、前記ＹＩＧフィルタ１２の前記出力において、前記測定通過帯域内及び前記フィルタ通過帯域内の、一連の測定値を取得する。  【選択図】図１
2007174643.tif 000002
【特許請求の範囲】
【請求項１】
関連するフィルタ帯域幅を有するフィルタ通過帯域のＹＩＧフィルタと、
前記ＹＩＧフィルタの入力に選択的に結合されるノイズ源と、
前記フィルタ帯域幅より狭い関連する測定帯域幅を有する測定通過帯域で、前記ＹＩＧフィルタの出力に結合されたレシーバと、を備え、
前記ノイズ源が前記ＹＩＧフィルタの前記入力に結合されると、前記レシーバが、前記ＹＩＧフィルタの前記出力において、前記測定通過帯域内及び前記フィルタ通過帯域内の、一連の測定値を取得する、ＹＩＧフィルタ同調システム。
【請求項２】
前記一連の測定値における前記取得測定値のそれぞれが、前記測定通過帯域を一連の周波数内における対応する周波数に調整して取得される、請求項１に記載のシステム。
【請求項３】
前記フィルタ通過帯域をあらかじめ指定された周波数に調整し、同時に、前記測定通過帯域を一連の周波数内における対応する周波数に調整して、レシーバが、前記一連の測定値を取得する、請求項２に記載のシステム。
【請求項４】
前記一連の測定値における前記取得測定値のそれぞれが、前記フィルタ通過帯域を一連の周波数内における対応する周波数に調整して取得される、請求項１に記載のシステム。
【請求項５】
前記測定通過帯域をあらかじめ指定された周波数に調整し、同時に、前記フィルタ通過帯域を一連の周波数内における対応する周波数に調整して、レシーバが、前記一連の測定値を取得する、請求項４に記載のシステム。
【請求項６】
前記一連の取得測定値を処理して、前記フィルタ通過帯域の中心周波数と対象の指定の周波数とのアライメントがとられる、請求項１に記載のシステム。
【請求項７】
前記ノイズ源に、スペクトル・アナライザの入力信号経路内の増幅器が含まれる、請求項１に記載のシステム。
【請求項８】
前記レシーバによって、前記一連の測定値が取得される間、前記ノイズ源によって、前記フィルタ通過帯域内のフラットなノイズスペクトルが前記ＹＩＧフィルタの前記入力に加えられる、請求項１に記載のシステム。
【請求項９】
前記一連のノイズ測定値に、一連の周波数内の対応する周波数で取得された、前記測定帯域幅内の一連のノイズ電力測定値が含まれる、請求項２に記載のシステム。
【請求項１０】
前記ＹＩＧフィルタ、前記ノイズ源、及び、前記レシーバがスペクトル・アナライザ内に組み込まれる、請求項１に記載のシステム。
【請求項１１】
ＹＩＧフィルタ同調システムであって、
フィルタ通過帯域及び関連するフィルタ帯域幅を有するＹＩＧフィルタの中心周波数を第１の周波数に設定することと、
前記ＹＩＧフィルタの入力にノイズ信号を加えることと、
前記加えられるノイズ信号に応答し、前記ＹＩＧフィルタの出力において、前記フィルタ帯域幅より狭い関連する測定帯域幅を有する測定通過帯域内の一連の測定値を取得することと、
前記取得した一連の測定値を処理して、前記ＹＩＧフィルタの前記中心周波数と前記第１の周波数からオフセットした第２の周波数のアライメントをとることと、を有する、システム。
【請求項１２】
前記一連の測定値における前記測定値のそれぞれが、前記測定通過帯域を一連の周波数内における対応する周波数に調整して取得される、請求項１１に記載のシステム。
【請求項１３】
前記フィルタ通過帯域をあらかじめ指定された周波数に調整し、同時に、前記測定通過帯域を一連の周波数内における対応する周波数に調整して、前記一連の測定値を取得する、請求項１２に記載のシステム。
【請求項１４】
前記一連の測定値における前記取得測定値のそれぞれが、前記フィルタ通過帯域を一連の周波数内における対応する周波数に調整して取得される、請求項１１に記載のシステム。
【請求項１５】
前記測定通過帯域をあらかじめ指定された周波数に調整し、同時に、前記フィルタ通過帯域を一連の周波数内における対応する周波数に調整して、前記一連の測定値を取得する、請求項１４に記載のシステム。
【請求項１６】
前記一連の取得測定値の処理に、前記一連の測定値のヒストグラムを作成することと、前記一連の測定値に関して電力しきい値を指定することと、前記一連の測定値と前記電力しきい値の比較に基づいて、前記一連の測定値を分類することと、前記分類された一連の測定値から累積プロットを作成することと、前記第１の周波数と前記第２の周波数との周波数差に基づいて、周波数誤差を求めることとを有する、請求項１１に記載のシステム。
【請求項１７】
前記ノイズ信号がスペクトル・アナライザの入力信号経路内にある増幅器によって生じる、請求項１１に記載のシステム。
【請求項１８】
前記一連の測定値が取得される間、前記増幅器によって、前記フィルタ通過帯域内のフラットなノイズスペクトルが前記ＹＩＧフィルタの前記入力に加えられる、請求項１７に記載のシステム。
【請求項１９】
前記一連のノイズ測定値に、一連の周波数内の対応する周波数で取得された、前記測定帯域幅内の一連のノイズ電力測定値が含まれる、請求項１２に記載のシステム。
【請求項２０】
前記ＹＩＧフィルタの前記中心周波数を設定することと、前記ノイズ信号を加えることと、前記一連の測定値を取得することと、前記一連の測定信号を処理することが、スペクトル・アナライザ内で実施される、請求項１１に記載のシステム。
【発明の詳細な説明】
【技術分野】
【０００１】
本発明は、ＹＩＧフィルタ同調システムに関する。
【背景技術】
【０００２】
イットリウム・鉄・ガーネット（ＹＩＧ）・フィルタは、さまざまな試験及び測定システムに含まれる同調可能帯域フィルタである。例えば、ＹＩＧフィルタは、発生した信号を濾波して、スペクトル的に純粋な出力信号を信号源に供給するため、マイクロ波信号源に組み込まれる。ＹＩＧフィルタは、加えられる入力信号のプリセレクタとして、マイクロ波スペクトル・アナライザのフロント・エンド・セクションにも組み込まれる。ＹＩＧフィルタには、高い周波数選択性と広い周波数同調範囲という利点がある。しかし、ＹＩＧフィルタには、ＹＩＧフィルタのフィルタ通過帯域の中心周波数を対象の周波数に正確に設定して維持するのを困難にする、周波数ドリフト、同調ヒステリシス、及び、他の異常という欠点もある。
【０００３】
マイクロ波信号源におけるＹＩＧフィルタの中心周波数が正確に設定または維持されない場合、信号源によって生じる出力信号の最大パワーが減少する可能性があり、出力信号のスペクトル純粋性が損なわれる可能性がある。マイクロ波スペクトル・アナライザのＹＩＧフィルタの中心周波数が正確に設定または維持されない場合、アナライザの応答に振幅誤差が生じる可能性がある。
【０００４】
現在利用可能な試験及び測定システムには、一般に、ＹＩＧフィルタの中心周波数を設定または維持する際に、誤差を同調させるための補正を手動または自動で行う、フィルタ・アライメント・アルゴリズムが含まれている。ＹＩＧフィルタの工場較正によって、予備または粗同調が施され、一方、フィルタ・アライメント・アルゴリズムによって、ＹＩＧフィルタの中心周波数と対象の周波数との正確なアライメントがとられる。
【０００５】
従来のフィルタ・アライメント・アルゴリズムでは、対象の周波数に関連した１つ以上の周波数のＣＷ（連続波）信号をＹＩＧフィルタに加えて、ＹＩＧフィルタの周波数同調を査定（assess:評価）し、工場較正によって施された予備同調に対してＹＩＧフィルタの周波数同調を調整する。フィルタ・アライメント・アルゴリズムは、熱的に誘発されるか、動作状態の変化によって誘発されるか、または、ＹＩＧフィルタの中心周波数の同調に用いられる駆動回路のドリフトによって誘発される、ＹＩＧフィルタの中心周波数のドリフトに対応するため、定期的に、または、試験及び測定システムの動作状態に基づいて呼び出される。
【０００６】
ＣＷ信号がフィルタ・アライメント・アルゴリズム内に加えられると、マイクロ波信号源に望ましくない出力信号が生じる可能性がある。マイクロ波スペクトル・アナライザの場合、フィルタ・アライメント・アルゴリズム内で依存されるＣＷ信号は、一般に、アナライザ内では得られない。マイクロ波スペクトル・アナライザに外部信号源からＣＷ信号を加えるのは、コストが高くつく可能性があるし、外部信号源は、一般に、フィルタ・アライメント・アルゴリズムが呼び出されている間に、マイクロ波スペクトル・アナライザに結合しなければならず、ＹＩＧフィルタの中心周波数のアライメントをとった後、マイクロ波スペクトル・アナライザから切り離さなければならないので、不便である可能性がある。
【発明の開示】
【発明が解決しようとする課題】
【０００７】
従って、本発明の目的は、ＹＩＧフィルタの中心周波数と対象の周波数とのアライメントをとるのに適しており、ＹＩＧフィルタにＣＷ信号を加えることに依存しない、ＹＩＧフィルタ同調システムを提供することにある。
【課題を解決するための手段】
【０００８】
上記課題は、関連するフィルタ帯域幅を有するフィルタ通過帯域のＹＩＧフィルタと、前記ＹＩＧフィルタの入力に選択的に結合されるノイズ源と、前記フィルタ帯域幅より狭い関連する測定帯域幅を有する測定通過帯域で、前記ＹＩＧフィルタの出力に結合されたレシーバと、を備え、前記ノイズ源が前記ＹＩＧフィルタの前記入力に結合されると、前記レシーバが、前記ＹＩＧフィルタの前記出力において、前記測定通過帯域内及び前記フィルタ通過帯域内の、一連の測定値を取得する、ＹＩＧフィルタ同調システムによって解決される。
【発明を実施するための最良の形態】
【０００９】
図１には、本発明の実施形態によるＹＩＧフィルタ同調システム１０が示されている。ＹＩＧフィルタ同調システム１０には、ＹＩＧフィルタ１２、ＹＩＧフィルタ１２の入力１３に選択的に結合されるノイズ源１４、及び、ＹＩＧフィルタ１２の出力１５に結合されるレシーバ１６が含まれている。ＹＩＧフィルタ同調システム１０の要素は、一般に、ＲＦ、マイクロ波、または、ミリメートル波周波数で動作する、試験及び測定システムまたは通信システムに存在する。例証のため、図２に示す従来のスペクトル・アナライザ２０内に含まれているＹＩＧフィルタ同調システム１０の要素が示され、ＹＩＧフィルタ同調システム１０の動作については、スペクトル・アナライザ２０に関連して解説される。
【００１０】
ＹＩＧフィルタ１２は、スペクトル・アナライザ２０のプリセレクタ２２内に含まれており、レシーバ１６は、スペクトル・アナライザ２０のミクサ／ＬＯセクション２５及びＩＦフィルタ／検出器セクション２４内に設けられる。ＹＩＧフィルタ１２は、一般に、入力１３に加えられる信号１１の帯域濾波を行う２ポート装置である。スペクトル・アナライザ２０の一例では、プリセレクタ２２内のＹＩＧフィルタ１２は、ＹＩＧフィルタ１２の入力１３に加えられ、局部発振器ＬＯによって加えられる信号と混合される、３．５〜２７ＧＨｚの周波数範囲の信号１１に帯域濾波を施す。
【００１１】
ＹＩＧフィルタ１２のフィルタ通過帯域１７（図３に示す）は、関連するフィルタ帯域幅ＢＷｆを有している。ＹＩＧフィルタ１２のフィルタ帯域幅ＢＷｆは、一般に、フィルタ通過帯域１７を同調させる中心周波数に応じて変動する。図３に示す一例では、電力半値点によって表示される、ＹＩＧフィルタ１２のフィルタ帯域幅ＢＷｆは、約１００ＭＨｚである。
【００１２】
フィルタ通過帯域１７の中心周波数ｆｃは、ＹＩＧフィルタ１２の１つ以上の周波数制御ポートに加えられる駆動電流Ｉｄに応答して、広い周波数範囲にわたって同調させることが可能である。フィルタ通過帯域１７がスペクトル・アナライザ２０において同調させられる周波数範囲は、３．５ＧＨｚ〜２７ＧＨｚであるが、ＹＩＧフィルタ１２の代替例におけるフィルタ通過帯域１７は、２ＧＨｚ〜３０ＧＨｚの周波数範囲を超えるかまたはその範囲内にある周波数範囲、または、他の適切な周波数範囲にわたって同調させることが可能である。
【００１３】
スペクトル・アナライザ２０が、加えられる入力信号１９のスペクトル測定結果を得ると、ＹＩＧフィルタ１２は、駆動電流Ｉｄの対応する設定によって、対象の１つ以上の指定の周波数ｆｉに設定されるか、または、加えられる入力信号１９の掃引(sweep)周波数スペクトル測定値を得るため、駆動電流Ｉｄの一定比率の増減、または、駆動電流Ｉｄの掃引が行われる。駆動電流Ｉｄによって、フィルタ通過帯域１７の中心周波数ｆｃが、１つ以上の指定の測定周波数に正確に設定及び維持されない場合、スペクトル・アナライザ２０によって実施される固定周波数スペクトル測定に振幅誤差が生じることになる。加えられる入力信号１９の掃引周波数スペクトル測定中に、ＹＩＧフィルタ１２のミスアライメントが生じると、加えられる入力信号１９の掃引周波数スペクトル測定に振幅誤差が生じる。
【００１４】
図１〜図２に示されたＹＩＧフィルタ同調システム１０の例では、ＹＩＧフィルタ１２は、ＹＩＧフィルタ同調システム１０内の他の要素から独立した２ポート装置として示されている。代替例では、ＹＩＧフィルタ１２は、ＹＩＧフィルタ１２が、ＹＩＧ同調発振器またはＹＩＧ周波数逓倍器と一体化されるか、または、他の装置、要素、または、システムと一体化される、システムまたはサブシステム内に組み込まれる。
【００１５】
ＹＩＧフィルタ同調システム１０に含まれるノイズ源１４が、ＹＩＧフィルタ１２の入力１３に選択的に結合される。図１に示すＹＩＧフィルタ同調システム１０の例では、選択的結合は、ノイズ源１４とＹＩＧフィルタ１２の間に挿入されたスイッチＳ１によって行われる。もう１つの例（図４に示す）では、制御信号ＣＮＴＲＬによって使用可能または使用禁止になるノイズ源１４との選択的結合が、信号コンバイナＳ２によって行われる。もう１つの例（図２に示す）では、ノイズ源１４は、スペクトル・アナライザ２０のプリセレクタ２２の入力信号経路内にある高利得前置増幅器Ａを用いて実施される。この例の場合、ＹＩＧフィルタ１２に対するノイズ源１４の選択的結合は、加えられる入力信号１９を前置増幅器Ａの入力に加えずに、前置増幅器Ａにバイアスをかけることによって施される。この例の場合、前置増幅器Ａは、利得が３０ｄＢであり、３．５ＧＨｚ〜２７ＧＨｚに及ぶ周波数範囲でノイズ信号を発生する。
【００１６】
ＹＩＧフィルタ１２の入力１３に結合されると、ノイズ源１４は、ＹＩＧフィルタ１２にノイズ信号２１を供給する。ＹＩＧフィルタ同調システム１０の実施形態の１つによれば、ノイズ信号２１のノイズスペクトルは、ＹＩＧフィルタ１２が同調させられる周波数範囲をカバーするのに十分なほど広い。ＹＩＧフィルタ１２のフィルタ通過帯域１７内において、ノイズスペクトルは、フィルタ通過帯域１７の周波数変動に比べると、フラットな、すなわち、平らな周波数プロフィルを示す。一例を挙げると、ノイズ信号２１は、フィルタ通過帯域１７の帯域幅内で観測すると、白色ノイズに似ている。図３には、ＹＩＧフィルタ１２のフィルタ通過帯域１７に関連して、ノイズ源１４によって生じるノイズ信号２１のノイズスペクトルの一例が示されている。
【００１７】
ノイズ信号２１を生じるノイズ源１４には、一般に、前置増幅器Ａまたはスペクトル・アナライザ２０内で利用可能な他の増幅器が含まれるか、または、ノイズダイオード、または、ノイズスペクトルを生じることが可能な他の任意のタイプのノイズ発生器が含まれる。代替案では、ノイズ源１４に、広周波数ノイズ状スペクトルを備えたノイズ信号２１を発生する、擬似ランダム・シーケンス発生器または他のタイプのディジタル信号源が含まれる。あるいはまた、ノイズ源１４には、広周波数ノイズ状スペクトルを備えたノイズ信号２１を発生する、インパルス発生器または他のタイプのパルス信号源が含まれる。
【００１８】
ＹＩＧフィルタ同調システム１０に含まれるレシーバ１６の測定通過帯域２７（図５Ａ〜図５Ｂに示す）は、ＹＩＧフィルタ１２のフィルタ帯域幅ＢＷｆより狭い関連する（associated）測定帯域幅ＢＷｍを備えている。スペクトル・アナライザ２０におけるレシーバ１６の測定通過帯域２７は、一般に、スペクトル・アナライザ２０の分解帯域幅を設定する、ＩＦフィルタ／検出器セクション２４内のＩＦフィルタによって決まる。
【００１９】
ＹＩＧフィルタ同調システム１０は、フィルタ通過帯域１７の中心周波数ｆｃと、スペクトル・アナライザ２０の選択された測定周波数のような、対象の１つ以上の指定周波数ｆｉとの周波数アライメントをとるのに適している。ＹＩＧフィルタ同調システム１０による周波数アライメントの結果として、フィルタ通過帯域１７の中心周波数ｆｃのミスアライメントによって生じる振幅誤差が減少する。
【００２０】
ＹＩＧフィルタ同調システム１０を用いた周波数同調は、一般に、例えば、スペクトル・アナライザ２０の操作パネルに対するユーザの入力キーストロークを介してといったように、スペクトル・アナライザ２０のユーザによって手動で呼び出される。あるいはまた、ＹＩＧフィルタ同調システム１０を用いた周波数アライメントは、スペクトル・アナライザ２０の動作状況、動作状況間における遷移に基づいて、または、他の指定基準に従って自動的に呼び出される。一般に、周波数アライメントは、ＹＩＧフィルタ同調システム１０が組み込まれた計器またはシステムに含まれている、コンピュータ、中央演算処理装置（ＣＰＵ）、または、他のタイプのコントローラといった、プロセッサ２８の制御下において呼び出され、実施される。
【００２１】
フィルタ通過帯域１７の中心周波数ｆｃと対象の１つ以上の指定周波数ｆｉとの周波数アライメントをとる際、レシーバ１６は、レシーバ１６の測定通過帯域２７内において一連の測定値｛Ｍ１，．．．ＭＮ｝を取得する。一連の測定値｛Ｍ１，．．．ＭＮ｝は、ＹＩＧフィルタ１２の入力１３にノイズ源１４を結合した状態で、ＹＩＧフィルタ１２の出力１５において得られる。一連の測定値｛Ｍ１，．．．ＭＮ｝には、一般に、ＹＩＧフィルタ１２のフィルタ通過帯域１７内に位置する測定通過帯域２７で得られた、レシーバ１６の測定帯域幅ＢＷｍ内におけるノイズ電力の測定値が含まれる。一例を挙げると、一連の測定値｛Ｍ１，．．．ＭＮ｝が得られるフィルタ通過帯域１７は、フィルタ通過帯域１７の電力半値点によって決まるフィルタ通過帯域１７のフィルタ帯域幅ＢＷｆの周波数幅の２．５倍にわたる。代替例の場合、一連の測定値｛Ｍ１，．．．ＭＮ｝は、フィルタ通過帯域１７の中心周波数ｆｃと対象の周波数ｆｉとのミスアライメントに対応するため、フィルタ通過帯域１７の他の十分に広い周波数範囲にわたって取得される。
【００２２】
一例（図５Ａに示す）を挙げると、一連の測定値｛Ｍ１，．．．ＭＮ｝は、指定の値に設定されたＹＩＧフィルタ１２に駆動電流Ｉｄを供給して、フィルタ通過帯域１７の中心周波数ｆｃをあらかじめ指定された中心周波数ｆｃに設定することによって得られる。フィルタ通過帯域１７の周波数同調におけるミスアライメントのために、中心周波数ｆｃは、一般に、対象の周波数ｆｉからオフセットする。従って、一連の測定値｛Ｍ１，．．．ＭＮ｝における各測定値は、レシーバ１６の測定通過帯域２７を一連の測定周波数｛ｆ１，．．．ｆＮ｝内における対応する周波数に調整して取得される。この例では、一連の測定値｛Ｍ１，．．．ＭＮ｝における各測定値は、レシーバ１６を同調させる、一連の異なる周波数｛ｆ１，．．．ｆＮ｝内における対応する周波数の関数である。
【００２３】
代替例（図５Ｂに示す）の場合、レシーバ１６の測定通過帯域２７は、あらかじめ指定された測定周波数ｆｍｅａｓに調整される。一連の測定値｛Ｍ１，．．．ＭＮ｝における各測定値は、従って、ＹＩＧフィルタ１２のフィルタ通過帯域１７の中心周波数を、一連のフィルタ中心周波数｛ｆＣ１，．．．ｆＣＮ｝内における対応する周波数に調整して取得される。この例では、一連の測定値｛Ｍ１，．．．ＭＮ｝における各測定値は、フィルタ通過帯域１７を同調させる、一連の異なる中心周波数｛ｆＣ１，．．．ｆＣＮ｝内における対応する中心周波数の関数である。
【００２４】
ＹＩＧフィルタ同調システム１０の代替実施態様によれば、得られた一連の測定値｛Ｍ１，．．．ＭＮ｝を代替方法で処理して、対象の指定周波数ｆｉに対するフィルタ通過帯域１７の中心周波数ｆｃの誤差すなわちミスアライメントが確証（establish）される。一般に、フィルタ通過帯域１７の同調位置に対応する駆動電流Ｉｄを決定することによって、中心周波数ｆｃと対象の周波数ｆｉとのアライメントがとられ、結果としてフィルタ通過帯域１７の中心周波数ｆｃと対象の周波数ｆｉのアライメントがとれることになる。
【００２５】
図６には、フィルタ通過帯域１７の中心周波数ｆｃと対象の周波数ｆｉとの周波数アライメントがとれるようにする、一連の測定値｛Ｍ１，．．．ＭＮ｝の処理例の１つに関するフロー４０が示されている。この例の場合、一連の測定値｛Ｍ１，．．．ＭＮ｝には、フィルタ帯域幅ＢＷｆの２．５倍にあたる、フィルタ通過帯域１７の周波数範囲にわたって取得される一連のノイズ電力測定値が含まれる。ノイズ電力測定値は、図５Ａ及び図７Ａに示すように、レシーバ１６の測定通過帯域２７を対応する一連の測定周波数｛ｆ１，．．．ｆＮ｝に設定して、レシーバ１６の測定帯域幅ＢＷｍ内で取得される。
【００２６】
フロー４０のステップ４２には、一連の測定値｛Ｍ１，．．．ＭＮ｝のヒストグラム３２の作成が含まれている。この例では、ヒストグラム３２は、一連の測定値｛Ｍ１，．．．ＭＮ｝における最小ノイズ電力測定値Ｐｍｉｎと最大ノイズ電力測定値Ｐｍａｘとの間に広がるあるノイズ電力範囲内において、一連の測定値｛Ｍ１，．．．ＭＮ｝の各測定値を複数のノイズ電力範囲ΔＰに分類することによって作成される。図７Ｂには、一連の測定値｛Ｍ１，．．．ＭＮ｝のヒストグラム例３２が示されている。
【００２７】
ステップ４４には、ヒストグラム３２の要素の指定パーセンテージだけ超える電力しきい値ＰＴＨの指定が含まれている。図７Ａ、図７Ｂには、電力しきい値ＰＴＨがヒストグラム３２の要素数の４０パーセントだけ超える例が示されている。
【００２８】
ステップ４６において、一連の測定値｛Ｍ１，．．．ＭＮ｝内の測定値は、測定値と電力しきい値ＰＴＨとの比較に基づいて、２つのグループＧ１、Ｇ２に分類される。一方のグループＧ１には、電力しきい値ＰＴＨを超える一連の測定値｛Ｍ１，．．．ＭＮ｝内の測定値が含まれており、もう一方のグループＧ２には、電力しきい値ＰＴＨ未満の一連の測定値｛Ｍ１，．．．ＭＮ｝内の測定値が含まれている。図７Ｃに示すように、２つのグループＧ１、Ｇ２に分類される一連の測定値は、一連の測定値｛Ｍ１，．．．ＭＮ｝が取得される、対応する周波数｛ｆ１，．．．ｆＮ｝に従って順序づけられる。
【００２９】
次に、図７Ｃに示す分類された一連の測定値を積分して、図７Ｄに示すように、ステップ４８において、累積プロット３４が確証される。次に、フィルタ通過帯域１７の中心周波数ｆｃが、この例の場合、累積プロット３４から、累積プロット３４の半振幅点(half-amplitude point)に対応する周波数として確証される。
【００３０】
ステップ５０では、フィルタ通過帯域１７に関連した周波数同調誤差ｆｅが、中心周波数ｆｃと対象の周波数ｆｉとの差として求められる。ステップ５２において、周波数同調誤差ｆｅは、ＹＩＧフィルタ１２に対する駆動電流Ｉｄを調整することによって最小限に抑えられ、中心周波数ｆｃと対象の周波数ｆｉのアライメントがとれることになる。
【００３１】
本発明の実施形態について詳述してきたが、当然明らかなように、当該技術者であれば、付属の請求項に記載の本発明の範囲を逸脱することなく、これらの実施形態に対する修正及び改変を思いつく可能性がある。
【図面の簡単な説明】
【００３２】
【図１】本発明の実施形態によるＹＩＧフィルタ同調システムを示す図である。
【図２】本発明の実施形態によるＹＩＧフィルタ同調システムを組み込むのに適した従来のスペクトル・アナライザの一例を示す図である。
【図３】本発明の実施形態によるＹＩＧフィルタ同調システムに含まれるＹＩＧフィルタのフィルタ通過帯域の一例を示す図である。
【図４】本発明の実施形態によるＹＩＧフィルタ同調システムの詳細図である。
【図５Ａ】本発明の代替実施形態によるＹＩＧフィルタ同調システムを用いて取得した一連の測定値を示す図である。
【図５Ｂ】本発明の代替実施形態によるＹＩＧフィルタ同調システムを用いて取得した一連の測定値を示す図である。
【図６】本発明の実施形態によるＹＩＧフィルタ同調システムによって取得した一連の測定値の処理例の１つに関するフローである。
【図７Ａ】図６のフローに関連した一連のグラフである。
【図７Ｂ】図６のフローに関連した一連のグラフである。
【図７Ｃ】図６のフローに関連した一連のグラフである。
【図７Ｄ】図６のフローに関連した一連のグラフである。
【符号の説明】
【００３３】
１０  ＹＩＧフィルタ同調システム
１２  ＹＩＧフィルタ
１４  ノイズ源
１６  レシーバ
１７  フィルタ通過帯域
２７  測定通過帯域
【図１】
2007174643.tif 000003
【図２】
2007174643.tif 000004
【図３】
2007174643.tif 000005
【図４】
2007174643.tif 000006
【図５Ａ】
2007174643.tif 000007
【図５Ｂ】
2007174643.tif 000008
【図６】
2007174643.tif 000009
【図７Ａ】
2007174643.tif 000010
【図７Ｂ】
2007174643.tif 000011
【図７Ｃ】
2007174643.tif 000012
【図７Ｄ】
2007174643.tif 000013